(57)【要約】  異なる視覚的パターンを有する領域を含む着用可能な物品の例が開示されている。一つの実施形態では、物品は、弾性前部シャシー領域および弾性前部ウェストバンド領域、後部領域、股ぐり領域、および股ぐり領域内に少なくとも部分的に配置された吸収体を含んでもよい。前部シャシーおよび前部ウェストバンド領域は、第１の材料と材料の間に配置された複数の弾性ストランドを含んでもよく、また複数の別個の接合物によって一緒に接合され、その少なくとも一部はストランドを閉じ込める。前部シャシー領域のストランドは第１の距離だけ離間し、一方で前部ウェストバンド領域のストランドは第２の距離だけ離間し、第２の距離は第１の距離より小さい。【選択図】図１
2021503351.tif 000002
【特許請求の範囲】
【請求項１】
長手方向および横方向に延びる吸収性物品であって、前記吸収性物品が、
前部ウェスト縁部を有し、弾性前部シャシー領域および弾性前部ウェストバンド領域を含む前部領域と、
後部ウェスト縁部を有する後部領域と、
前記前部領域と前記後部領域との間に延びる股ぐり領域と、
前記股ぐり領域内に少なくとも部分的に配置される吸収体と、を含み、
前記弾性前部シャシー領域が、第１の前部シャシーウェブ材料と第２の前部シャシーウェブ材料との間に配置された複数の弾性ストランドを含み、
前記第１の前部シャシーウェブ材料が、複数の別個の接合物によって前記第２の前部シャシーウェブ材料に接合され、前記別個の接合物の少なくとも一部が、前記弾性前部シャシー領域の前記複数の弾性ストランドの弾性ストランドの両側に配置され、前記長手方向に、前記弾性ストランドの非張力の直径よりも小さい距離だけ離間する接合物対を形成し、
前記弾性前部シャシー領域の前記複数の弾性ストランドが、前記長手方向に第１の距離だけ離間し、
前記弾性前部ウェストバンド領域が、第１の前部ウェストバンドウェブ材料と第２の前部ウェストバンドウェブ材料との間に配置された複数の弾性ストランドを含み、
前記第１の前部ウェストバンドウェブ材料は、複数の別個の接合物によって前記第２の前部ウェストバンドウェブ材料に接合され、前記別個の接合物の少なくとも一部が、前記弾性前部ウェストバンド領域の前記複数の弾性ストランドの弾性ストランドの両側に配置され、前記長手方向に、前記弾性ストランドの非張力の直径よりも小さい距離だけ離間する接合物対を形成し、
前記弾性前部ウェストバンド領域の前記複数の弾性ストランドが、前記長手方向に、第２の距離だけ離間し、前記第２の距離が前記第１の距離より小さい、吸収性物品。
【請求項２】
前記第２の距離が８ｍｍ以下である、請求項１に記載の吸収性物品。
【請求項３】
前記第２の距離が６．５ｍｍ以下である、請求項１に記載の吸収性物品。
【請求項４】
前記第１の距離が、少なくとも１ｍｍだけ前記第２の距離より大きい、請求項１に記載の吸収性物品。
【請求項５】
前記弾性前部ウェストバンド領域の前記複数の弾性ストランドが、前記弾性前部シャシー領域の前記複数の弾性ストランドよりも小さな設置された伸長を有する、請求項１に記載の吸収性物品。
【請求項６】
前記弾性前部ウェストバンド領域の前記複数の弾性ストランドの前記設置された伸長が２００％未満である、請求項５に記載の吸収性物品。
【請求項７】
前記弾性前部シャシー領域の前記複数の弾性ストランドの前記設置された伸長が、前記弾性前部ウェストバンド領域の前記複数の弾性ストランドの前記設置された伸長よりも少なくとも５０％だけ大きい、請求項６に記載の吸収性物品。
【請求項８】
前記弾性前部ウェストバンド領域の前記複数の弾性ストランドが、前記弾性前部シャシー領域の前記複数の弾性ストランドよりも大きい設置された伸長を有する、請求項１に記載の吸収性物品。
【請求項９】
前記弾性前部シャシー領域の前記複数の弾性ストランドの前記設置された伸長が２００％未満である、請求項８に記載の吸収性物品。
【請求項１０】
前記弾性前部ウェストバンド領域の前記複数の弾性ストランドの前記設置された伸長が、前記弾性前部シャシー領域の前記複数の弾性ストランドの前記設置された伸長より少なくとも５０％だけ大きい、請求項９に記載の吸収性物品。
【請求項１１】
前記第１の前部シャシーウェブ材料を前記第２の前部シャシーウェブ材料に接合する前記複数の別個の接合物が、一連の接合物の列を形成し、
前記前部シャシー領域内の接合物の長手方向に隣接した列間の平均距離が、６ｍｍ未満である、請求項１に記載の吸収性物品。
【請求項１２】
前記第１の前部シャシーウェブ材料を前記第２の前部シャシーウェブ材料に接合する前記複数の接合物が、一連の接合物列を形成し、
第１の接合物列内の複数の接合物が、前記横方向に対して第１の角度を形成する長手方向に延びる辺部を含み、
第２の接合物列内の複数の接合物が、前記横方向に対して第２の角度を形成する長手方向に延びる辺部を含み、
前記第１の角度が前記第２の角度と異なる、請求項１に記載の吸収性物品。
【請求項１３】
前記第２の角度が、１８０マイナス前記第１の角度の値である、角度の値を有する、請求項１２に記載の吸収性物品。
【請求項１４】
長手方向および横方向に延びる吸収性物品であって、前記吸収性物品が、
前部ウェスト縁部を有し、弾性前部シャシー領域および弾性前部ウェストバンド領域を含む前部領域と、
後部ウェスト縁部を有する後部領域と、
前記前部領域と前記後部領域との間に延びる股ぐり領域と、
前記股ぐり領域内に少なくとも部分的に配置される吸収体と、を含み、
前記弾性前部シャシー領域が、第１の前部シャシーウェブ材料と第２の前部シャシーウェブ材料との間に配置された複数の弾性ストランドを含み、
前記第１の前部シャシーウェブ材料が、複数の別個の接合物によって前記第２の前部シャシーウェブ材料に接合され、前記別個の接合物の少なくとも一部が、前記弾性前部シャシー領域の前記複数の弾性ストランドの弾性ストランドの両側に配置され、前記長手方向に、前記弾性ストランドの非張力の直径よりも小さい距離だけ離間する接合物対を形成し、
前記弾性前部シャシー領域の前記複数の弾性ストランドが、前記長手方向に第１の距離だけ離間し、
前記弾性前部ウェストバンド領域が、第１の前部ウェストバンドウェブ材料と第２の前部ウェストバンドウェブ材料との間に配置された複数の弾性ストランドを含み、
前記第１の前部ウェストバンドウェブ材料は、複数の別個の接合物によって前記第２の前部ウェストバンドウェブ材料に接合され、前記別個の接合物の少なくとも一部が、前記弾性前部ウェストバンド領域の前記複数の弾性ストランドの弾性ストランドの両側に配置され、前記長手方向に、前記弾性ストランドの非張力の直径よりも小さい距離だけ離間する接合物対を形成し、
前記弾性前部ウェストバンド領域の前記複数の弾性ストランドが、前記長手方向に、第２の距離だけ離間し、前記第２の距離が前記第１の距離より小さく、
前記弾性前部ウェストバンド領域の前記複数の弾性ストランドの前記設置された伸長が、前記弾性前部シャシー領域の前記複数の弾性ストランドの前記設置された伸長よりも大きい、吸収性物品。
【請求項１５】
前記弾性前部ウェストバンド領域の前記複数の弾性ストランドの前記設置された伸長が１５０％より大きい、請求項１４に記載の吸収性物品。
【請求項１６】
前記弾性前部ウェストバンド領域の前記複数の弾性ストランドの前記設置された伸長が２００％より大きい、請求項１４に記載の吸収性物品。
【請求項１７】
前記弾性前部ウェストバンド領域の前記複数の弾性ストランドの前記設置された伸長が、前記弾性前部シャシー領域の前記複数の弾性ストランドの前記設置された伸長より少なくとも５０％だけ異なる、請求項１４に記載の吸収性物品。
【請求項１８】
前記弾性前部ウェストバンド領域の前記複数の弾性ストランドのデシテックスが、前記弾性前部シャシー領域の前記複数の弾性ストランドのデシテックスよりも大きい、請求項１４に記載の吸収性物品。
【請求項１９】
前記第２の距離が６．５ｍｍ以下である、請求項１４に記載の吸収性物品。
【請求項２０】
第１の一連の吸収性物品であって、
第１の前部ウェスト縁部を有し、弾性の第１の前部シャシー領域を含む前部領域と、
第１の後部ウェスト縁部を有する第１の後部領域と、
前記第１の前部領域と前記第１の後部領域との間に延在する第１の股ぐり領域と、
前記第１の股ぐり領域内に少なくとも部分的に配置される第１の吸収体と、を含み、
前記弾性の第１の前部シャシー領域が、前記弾性の第１の前部シャシー領域の第１の前部シャシーウェブ材料と第２の前部シャシーウェブ材料との間に配置された第１の複数の弾性ストランドを含み、
前記弾性の第１の前部シャシー領域の前記第１の前部シャシーウェブ材料は、複数の別個の接合物によって前記弾性の第１の前部シャシー領域の前記第２の前部シャシーウェブ材料に接合され、前記別個の接合物の少なくとも一部が、前記弾性の第１の前部シャシー領域の前記複数の弾性ストランドの弾性ストランドの両側に配置され、前記長手方向に、前記弾性ストランドの非張力の直径よりも小さい距離だけ離間する接合物対を形成し、
前記弾性の第１の前部シャシー領域の前記複数の弾性ストランドが、前記長手方向に第１の距離だけ離間する、第１の一連の吸収性物品と、
第２の一連の吸収性物品であって、
第２の前部ウェスト縁部を有し、かつ弾性の第２の前部シャシー領域を含む第２の前部領域と、
第２の後部ウェスト縁部を有する第２の後部領域と、
前記第２の前部領域と前記第２の後部領域との間に延在する第２の股ぐり領域と、
前記第２の股ぐり領域内に少なくとも部分的に配置される第２の吸収体と、を含み、
前記弾性の第２の前部シャシー領域が、前記弾性の第２の前部シャシー領域の第１の前部シャシーウェブ材料と第２の前部シャシーウェブ材料との間に配置された複数の弾性ストランドを含み、
前記弾性の第２の前部シャシー領域の前記第１の前部シャシーウェブ材料は、複数の別個の接合物によって前記弾性の第２の前部シャシー領域の前記第２の前部シャシーウェブ材料に接合され、前記別個の接合物の少なくとも一部が、前記弾性のある第２の前部シャシー領域の前記複数の弾性ストランドの弾性ストランドの両側に配置され、前記長手方向に、前記弾性ストランドの非張力の直径よりも小さい距離だけ離間する接合物対を形成し、
前記弾性の第２の前部シャシー領域の前記複数の弾性ストランドが、前記長手方向に第２の距離だけ離間し、
前記第２の距離が、前記第１の距離よりも少なくとも２ｍｍだけ大きい、第２の一連の吸収性物品と、を含む、吸収性物品のアレイ。
【発明の詳細な説明】
【技術分野】
【０００１】
本開示は、弾性のシャシーおよびウェストバンドを含む着用可能な物品、およびより具体的には視覚的に異なるパターンを有する弾性のシャシーおよびウェストバンドを含む着用可能な物品に関連する。
【背景技術】
【０００２】
弾性材料は、さまざまな着用可能な衣類および吸収性物品内を含む、多くの異なる用途で使用される。こうした弾性材料は、有益なフィット特性を提供するために、シャシー、ウェストバンド、脚カフ、バリアカフ、または衣類および吸収性物品のその他の構成要素の一部として使用されてもよく、または体滲出物の漏れの防止、またはその他の利益を与える。
【０００３】
多くの現在の衣服衣類および吸収性物品は、材料の層の間に位置付けられ、接着剤を用いて材料の層に貼り付けられた弾性ストランドを含む弾性材料を含む。一部の従来技術の弾性材料は、個別の個々の接合物を使用して材料の層に弾性ストランドを貼り付けることに有利な接着剤を取り除くように試みられている。これらの従来技術の材料は、弾性ストランドの非張力の直径よりも小さい距離で接合物を弾性ストランドにわたって位置付ける。いくつかの例示的な従来技術材料は、Ｃｅｒａ  Ｆｒａｎｃｅ  Ｃｏｍｐａｇｎｉｅ  ｄ’Ｅｑｕｉｐｍｅｎｔ  Ｒｏｂｏｔｉｑｕｅ  Ａｐｐｌｉｑｕｅｅによる「Ｒｕｆｆｌｉｎｇ  Ｓｌｉｄｅ  ａｎｄ  Ｍｅｔｈｏｄ  ｆｏｒ  Ｍａｋｉｎｇ  Ｓａｍｅ」と題された米国特許６，２９１，０３９号にみることができる。この特定の構造構成は、弾性ストランドを接合物の間で弾性材料内に保持する。これらの接着剤のない弾性材料は、弾性材料内の弾性ストランドを貼り付けるために接着剤を必要としないため、コスト利点を有する。従って、接着剤を含まない追加的な弾性材料は、機能的または審美的な利益を有することに加えて、吸収性物品の全体的なコストを減少させるのに役立ち得る。
【発明の概要】
【０００４】
本開示は、弾性のシャシーおよびウェストバンドを含む吸収性物品、およびより具体的には、視覚的に異なるパターンを有する弾性のシャシーおよびウェストバンドを含む吸収性物品に関連する。一般に、本開示の物品のシャシーおよびウェストバンドは、接着剤なしで、シャシーおよびウェストバンドの一つまたは複数の特性がウェストバンドとシャシーとの間の視覚的に異なるパターンを生成するように異なるように構成される。例えば、本開示の物品のシャシー領域は、複数の弾性ストランドを含んでもよく、また比較的区別がつかないパターン形成された構造を生成するように構成されてもよく、一方で物品のウェストバンドは複数の弾性ストランドを含んでもよいが、着用者が物品の異なる部分を簡単に識別できるように、よく画定されたパターン形成された構造を生成するように構成されている。
【０００５】
第１の実施形態では、吸収性物品は、長手方向および横方向に延びてもよく、吸収性物品は、前部ウェスト縁部を有し、かつ弾性前部シャシー領域、弾性前部ウェストバンド領域を含む前部領域と、後部ウェスト縁部を含む後部領域と、前部領域と後部領域との間に延びる股ぐり領域と、股ぐり領域内に少なくとも部分的に配置された吸収体とを含んでもよい。弾性前部シャシー領域は、第１の前部シャシーウェブ材料と第２の前部シャシーウェブ材料との間に配置された複数の弾性ストランドをさらに含んでもよく、第１の前部シャシーウェブ材料は、複数の別個の接合物によって第２の前部シャシーウェブ材料に接合され、別個の接合物の少なくとも一部が、弾性前部シャシー領域の複数の弾性ストランドの弾性ストランドの両側に配置され、長手方向に、弾性ストランドの非張力の直径よりも小さい距離だけ離間する接合物対を形成する。さらに、弾性前部シャシー領域の複数の弾性ストランドが、長手方向に第１の距離だけ離間し得る。次に、弾性前部ウェストバンド領域は、第１の前部ウェストバンドウェブ材料と第２の前部ウェストバンドウェブ材料との間に配置された複数の弾性ストランドをさらに含んでもよく、一方で、第１の前部ウェストバンドウェブ材料は、複数の別個の接合物によって第２の前部ウェストバンドウェブ材料に接合され、別個の接合物の少なくともいくつかが、弾性前部ウェストバンド領域の複数の弾性ストランドの弾性ストランドの両側に配置され、長手方向に、弾性ストランドの非張力の直径よりも小さい距離だけ離間する接合物対を形成する。最後に、弾性前部ウェストバンド領域の複数の弾性ストランドが、長手方向に、第２の距離だけ離間してもよく、第２の距離が第１の距離より小さい。
【０００６】
第２の実施形態では、第１の実施形態の第２の距離は、８ｍｍ以下であり得る。
【０００７】
第３の実施形態では、第１または第２の実施形態のいずれかの第２の距離は６．５ｍｍ以下であり得る。
【０００８】
第４の実施形態では、第１〜第３の実施形態のいずれかの第１の距離は、少なくとも１ｍｍだけ第２の距離より大きくてもよい。
【０００９】
第５の実施形態では、第１〜第４の実施形態のいずれかの弾性前部ウェストバンド領域の複数の弾性ストランドは、弾性前部シャシー領域の複数の弾性ストランドよりも小さい設置された伸長を有し得る。
【００１０】
第６の実施形態では、第５の実施形態の弾性前部ウェストバンド領域の複数の弾性ストランドの設置された伸長は、２００％未満であり得る。
【００１１】
第７の実施形態では、第６の実施形態の弾性前部シャシー領域の複数の弾性ストランドの設置された伸長は、弾性前部ウェストバンド領域の複数の弾性ストランドの設置された伸長よりも少なくとも５０％だけ大きくてもよい。
【００１２】
第８の実施形態では、第１〜第７の実施形態のいずれかの弾性前部ウェストバンド領域の複数の弾性ストランドは、弾性前部シャシー領域の複数の弾性ストランドよりも大きい設置された伸長を有し得る。
【００１３】
第９の実施形態では、第８の実施形態の弾性前部シャシー領域の複数の弾性ストランドの設置された伸長は、２００％未満であり得る。
【００１４】
第１０の実施形態では、第９の実施形態の弾性前部ウェストバンド領域の複数の弾性ストランドの設置された伸長は、弾性前部シャシー領域の複数の弾性ストランドの設置された伸長より少なくとも５０％だけ大きくてもよい。
【００１５】
第１１の実施形態では、第１の前部シャシーウェブ材料を第２の前部シャシーウェブ材料に接合する第１〜第１０の実施形態のいずれかの複数の別個の接合物は、一連の列の接合物を形成してもよく、また前部シャシー領域内の接合物の長手方向に隣接した列の接合物間の平均距離は６ｍｍ未満である。
【００１６】
第１２の実施形態では、第１の前部シャシーウェブ材料を第２の前部シャシーウェブ材料に接合する第１〜第１１の実施形態のいずれかの複数の接合物は、一連の接合物列を形成してもよく、第１の接合物列内の複数の接合物は、横方向に対して第１の角度を形成する長手方向に延在する辺部を含んでもよく、第２の接合物列内の複数の接合物は、第１の角度が第２の角度と異なる横方向に対して第２の角度を形成する長手方向に延在する辺部を含んでもよい。
【００１７】
第１３の実施形態では、第１２の実施形態の第２の角度は、１８０マイナス第１の角度の値である、度の値を有し得る。
【００１８】
第１４の実施形態では、吸収性物品は、長手方向および横方向に延びてもよく、前部ウェスト縁部を有し、かつ弾性前部シャシー領域、弾性前部ウェストバンド領域を含む前部領域と、後部ウェスト縁部を含む後部領域と、前部領域と後部領域との間に延びる股ぐり領域と、股ぐり領域内に少なくとも部分的に配置された吸収体とを含んでもよい。さらに、弾性前部シャシー領域は、第１の前部シャシーウェブ材料と第２の前部シャシーウェブ材料との間に配置された複数の弾性ストランドをさらに含んでもよく、第１の前部シャシーウェブ材料は、複数の別個の接合物によって第２の前部シャシーウェブ材料に接合され、別個の接合物の少なくとも一部が、弾性前部シャシー領域の複数の弾性ストランドの弾性ストランドの両側に配置され、長手方向に、弾性ストランドの非張力の直径よりも小さい距離だけ離間する接合物対を形成する。さらに、弾性前部シャシー領域の複数の弾性ストランドが、長手方向に第１の距離だけ離間し得る。弾性前部ウェストバンド領域は、第１の前部ウェストバンドウェブ材料と第２の前部ウェストバンドウェブ材料との間に配置された複数の弾性ストランドをさらに含んでもよく、第１の前部ウェストバンドウェブ材料は、複数の別個の接合物によって第２の前部ウェストバンドウェブ材料に接合され、別個の接合物の少なくともいくつかが、弾性前部ウェストバンド領域の複数の弾性ストランドの弾性ストランドの両側に配置され、長手方向に、弾性ストランドの非張力の直径よりも小さい距離だけ離間する接合物対を形成する。弾性前部ウェストバンド領域の複数の弾性ストランドは、長手方向に第２の距離だけ離間してもよく、第２の距離は、第１の距離よりも小さく、弾性前部ウェストバンド領域の複数の弾性ストランドの設置された伸長は、弾性前部シャシー領域の複数の弾性ストランドの設置された伸長よりも大きくてもよい。
【００１９】
第１５の実施形態では、第１４の実施形態の弾性前部ウェストバンド領域の複数の弾性ストランドの設置された伸長は、１５０％より大きくてもよい。
【００２０】
第１６の実施形態では、第１４または１５の実施形態のいずれかの弾性前部ウェストバンド領域の複数の弾性ストランドの設置された伸長は、２００％より大きくてもよい。
【００２１】
第１７の実施形態では、第１４〜第１６の実施形態のいずれかの弾性前部ウェストバンド領域の複数の弾性ストランドの設置された伸長は、弾性前部シャシー領域の複数の弾性ストランドの設置された伸長と少なくとも５０％だけ異なってもよい。
【００２２】
第１８の実施形態では、第１４〜第１７の実施形態のいずれかの弾性前部ウェストバンド領域の複数の弾性ストランドのデシテックスは、弾性前部シャシー領域の複数の弾性ストランドのデシテックスより大きくてもよい。
【００２３】
第１９実施形態では、第１４〜第１８の実施形態のいずれかの第２の距離は６．５ｍｍ以下であり得る。
【００２４】
第２０の実施形態では、吸収性物品のアレイは、第１の前部ウェスト縁部を有し、かつ弾性の第１の前部シャシー領域を含む前部領域と、第１の後部ウェスト縁部を有する第１の後部領域と、第１の前部領域と第１の後部領域との間に延在する第１の股ぐり領域と、第１の股ぐり領域内に少なくとも部分的に配置される第１の吸収体とを含む、第１の一連の吸収性物品を含み得る。弾性の第１の前部シャシー領域が、弾性の第１の前部シャシー領域の第１の前部シャシーウェブ材料と第２の前部シャシーウェブ材料との間に配置された第１の複数の弾性ストランドを含んでもよく、弾性の第１の前部シャシー領域の第１の前部シャシーウェブ材料は、複数の別個の接合物によって弾性の第１の前部シャシー領域の第２の前部シャシーウェブ材料に接合され、別個の接合物の少なくとも一部が、弾性の第１の前部シャシー領域の複数の弾性ストランドの弾性ストランドの両側に配置され、長手方向に、弾性ストランドの非張力の直径よりも小さい距離だけ離間する接合物対を形成する。さらに、弾性の第１の前部シャシー領域の複数の弾性ストランドは、長手方向に第１の距離だけ離間し得る。アレイは、第２の前部ウェスト縁部を有し、かつ弾性の第２の前部シャシー領域を含む第２の前部領域と、第２の後部ウェスト縁部を有する第２の後部領域と、第２の前部領域と第２の後部領域との間に延在する第２の股ぐり領域と、第２の股ぐり領域内に少なくとも部分的に配置される第２の吸収体とを含む、第２の一連の吸収性物品をさらに含んでもよい。弾性の第２の前部シャシー領域が、弾性の第２の前部シャシー領域の第１の前部シャシーウェブ材料と第２の前部シャシーウェブ材料との間に配置された複数の弾性ストランドを含んでもよく、弾性の第２の前部シャシー領域の第１の前部シャシーウェブ材料は、複数の別個の接合物によって弾性の第２の前部シャシー領域の第２の前部シャシーウェブ材料に接合され、別個の接合物の少なくとも一部が、弾性の第２の前部シャシー領域の複数の弾性ストランドの弾性ストランドの両側に配置され、長手方向に、弾性ストランドの非張力の直径よりも小さい距離だけ離間する接合物対を形成する。弾性の第２の前部シャシー領域の複数の弾性ストランドは、長手方向に第２の距離だけ離間してもよく、第２の距離は第１の距離よりも少なくとも２ｍｍだけ大きくてもよい。
【００２５】
本開示の上記の概要は、各実施形態または本開示の実施全てを説明することを意図していない。本開示のより完全な理解とともに、利点および達成は、添付図面と併せて行われる以下の詳細な説明および請求項を参照することによって明らかになり、認識される。
【図面の簡単な説明】
【００２６】
本開示は、添付図面に関連してさまざまな実施形態の以下の詳細な説明を考慮してより完全に理解され得る。
【００２７】
【図１】図１は、本開示の態様による、閉鎖構成における例示的な着用可能な物品の斜視図である。
【図２】図２は、完全に開いたかつ平坦な構成の図１の物品の平面図である。
【図３Ａ】図３Ａは、線３−３に沿って見た図１の物品の第１の例示的断面図である。
【図３Ｂ】図３Ｂは、線３−３に沿って見た図１の物品の第２の例示的断面図である。
【図４】図４は、図２の領域４４の拡大平面図である。
【００２８】
本開示は、さまざまな修正および代替形態に変更可能であるが、その詳細は、図面の例として示され、詳細に説明される。しかしながら、本開示は、記載された特定の実施形態に本開示の態様を限定するものではないことを理解されたい。むしろ、本開示の範囲内に入る全ての修正、等価物、および代替物をカバーすることを意図するものである。
【発明を実施するための形態】
【００２９】
本開示は、一般に可視的に異なるパターンを有する弾性シャシーおよびウェストバンドを含む吸収性および衣類の物品などの着用可能な物品に関する。本開示のこうした物品のシャシーおよびウェストバンドは、接着剤なしで物品に貼り付けられる弾性ストランドを含み得る。シャシーおよびウェストバンドの特性の一つまたは複数は、シャシーとウェストバンドの間で視覚的に異なるパターンを生成するために異なるように選択される。潜在的な購入用の物品を評価するための潜在的な着用者は、視覚的に異なるパターンの通知を受け、それによって製品が弾性のシャシーおよび弾性のウェストバンドの両方を有することを容易に理解し得る。潜在的なユーザは、このような物品が、弾性のシャシーおよび弾性のウェストバンドの両方は持たない、または二つの物品領域間の視覚的な差異がない他の製品よりも良好にフィットするというより大きな確信を有し得る。本開示は、弾性ストランドを貼り付けるために接着剤を使用しない材料で視覚的に異なるパターンを生成し得るいくつかの異なる方法を詳述する。
【００３０】
それぞれの例および実施形態は、限定ではなく、説明の目的で提供されている。例えば、一つの実施形態または図の一部として図示または記述された特徴は、別の実施形態または図とともに使用して、またさらなる実施形態を生じ得る。従って、本開示の態様はこのような修正および変形を網羅することが意図されている。
【００３１】
いくつかの適切な寸法、範囲および／またはさまざまな構成要素、特徴および／または仕様に関する範囲および／または値が開示されているが、当業者であれば、本開示によって引用されるのは、所望の寸法、範囲および／または値が明示的に開示されたものから逸脱し得ることを理解するであろう。
【００３２】
本開示またはその好適実施形態の要素を紹介する時、冠詞「ａ」、「ａｎ」、「ｔｈｅ」および「ｓａｉｄ（前述の）」は要素の一つまたは複数があることを意味する。「含む」、「含む」および「有する」という用語は包括的であることを意図し、記載された要素よりも他の追加的要素があり得ることを意味する。本開示の精神および範囲を逸脱することなく、本開示の多くの変更および変形をなし得る。従って、上述の例示的実施形態は本発明の範囲を制限するために使用されるべきでない。
【００３３】
用語の定義
「吸収性物品」という用語は本明細書で使用する場合、身体から排出されるさまざまな液体、固体、および半固体の滲出物を吸収および包含するために、着用者の身体に接触して、または着用者の身体に近接して（すなわち、身体と隣接して）配置し得る物品をさす。このような吸収性物品は、再使用のために洗濯またはその他の方法で復元するのではなく、限定された使用期間後は廃棄することが意図されている。本開示は、オムツ、オムツパンツ、トレーニングパンツ、幼児用おむつ、水泳パンツ、生理用パッドまたはパンツを含むがこれに限定されない女性用衛生用品、失禁用製品、大人用おむつ、医療用衣類、手術用パッドおよび包帯、その他のパーソナルケアまたはヘルスケア衣類などを含むがこれらに限定されないさまざまな使い捨て吸収性物品に、本開示の範囲から逸脱することなく適用されることを理解すべきである。
【００３４】
「接合」、「付着」、「連結」という用語は本明細書で使用する場合、二つの要素の接合、接着、接続、付着などをさす。二つの要素は、それらが互いに直接的に、または各々が中間要素に直接接合しているときのように互いに間接的に、接合、接着、接続、付着などしているとき、ともに接合、付着、連結されているとみなされるであろう。一つの要素の別の要素との接合、付着、または連結は、連続的または断続的な接合物を介して起こり得る。
【００３５】
「カーデッドウェブ」という用語は本明細書で使用する場合、典型的には約１００ｍｍ未満の繊維長さを有する、天然または合成の繊維長の繊維を含むウェブをさす。ステープル繊維の梱は繊維を分離するための開繊プロセスを受け、カーディングプロセスに送られるが、繊維を分離して梳き、縦方向に整列させた後、さらなる処理のために繊維を移動ワイヤー上に堆積する。このようなウェブは通常、熱および／または圧力を使用する熱接合などの、一部のタイプの接合プロセスを受ける。それに加えて、またはその代わりに、繊維は、粉末接着剤の使用などにより繊維を一緒に接合する接着プロセスを受け得る。カーデッドウェブは、繊維をさらに絡み合わせ、水分交絡などの流体交絡を受けることができ、それによってカーデッドウェブの完全性を改善する。カーデッドウェブは縦方向の繊維整列のために、一旦接合されると典型的には、幅方向強さよりも大きな縦方向強さを有する。
【００３６】
「フィルム（ｆｉｌｍ）」という用語は、本明細書において、キャストフィルム押出またはブローンフィルム押出プロセスなどの押出および／または成形プロセスを使用して作られる熱可塑性フィルムをさす。本用語は、液体移動フィルムを構成する有孔フィルム、スリットフィルム、およびその他の多孔性フィルム、ならびにバリアフィルム、充填フィルム、通気性フィルム、および配向フィルムなどであるがこれらに限定されない流体を移動しないフィルムを含む。
【００３７】
「ｇｓｍ」という用語は、本明細書において、平方メートルあたりのグラム数をさす。
【００３８】
「親水性（ｈｙｄｒｏｐｈｉｌｉｃ）」という用語は、本明細書において、繊維と接触している水性液体によって濡れる繊維または繊維の表面をさす。材料の濡れの程度は、関与する液体および材料の接触角および表面張力に関して説明され得る。特定の繊維材料または繊維材料の混合物の濡れ性を計測する適切な機器とギ技術は、Ｃａｈｎ  ＳＦＡ−２２２表面力分析システム、または実質的に同等なシステムによって提供され得る。このシステムで測定する時、９０度未満の接触角を有する繊維は「濡れ性」または親水性と呼ばれ、９０度より大きな接触角を有する繊維は「非濡れ性（ｎｏｎｗｅｔｔａｂｌｅ）」または疎水性と呼ばれる。
【００３９】
本明細書で使用する時、「メルトブローン」という用語は、溶融熱可塑性材料を溶融糸またはフィラメントとして、通常は円形の複数の細いダイスキャピラリーを通して、高速な収束速度の加熱ガス（例えば空気）流中に押出すことによって形成された繊維を意味するが、高速ガス流は溶融熱可塑性材料のフィラメントを希釈して、場合によってはマイクロ繊維の直径までその直径を小さくする。その後、メルトブローン繊維は、高速度ガス流により運ばれ、収集表面上に積層されて不定期に分散されるメルトブローン繊維のウェブを形成する。かかるプロセスは、例えば、Ｂｕｔｉｎらの米国特許第３，８４９，２４１号で開示されており、参照により本明細書に組み込まれる。メルトブローン繊維は連続的または断続的であり得るミクロ繊維であり、一般に約０．６デニールよりも小さく、収集表面上に積層された時、粘着性で自己接合し得る。
【００４０】
「不織布」という用語は本明細書で使用する場合、織物製織または編組プロセスの助けなしに形成される材料およびウェブ材料をさす。材料およびウェブ材料は、間に差し込むことができるが、編物でのように識別可能な様式ではない個別の繊維、フィラメント、または糸（まとめて「繊維」と呼ばれる）の構造を有し得る。不織布材料またはウェブは、メルトブローンプロセス、スパンボンドプロセス、カーデッドウェブプロセス、水分交絡プロセスなどであるがこれらに限定されない多くのプロセスで形成し得る。
【００４１】
「スパンボンド」という用語は本明細書で使用する場合、円形またはその他の形状を有する紡糸口金の複数の細かいキャピラリーからフィラメントとして溶融熱可塑性材料を押出すことによって形成され、次に押出されたフィラメントの直径は、例えば抽出引出しなどの従来型プロセス、および米国特許第４，３４０，５６３号（Ａｐｐｅｌら）、米国特許第３，６９２，６１８号（Ｄｏｒｓｃｈｎｅｒら）、米国特許第３，８０２，８１７号（Ｍａｔｓｕｋｉら）、米国特許第３，３３８，９９２号および第３，３４１，３９４号（Ｋｉｎｎｅｙ）、米国特許第３，５０２，７６３号（Ｈａｒｔｍａｎｎ）、米国特許第３，５０２，５３８号（Ｐｅｔｅｒｓｏｎ）、および米国特許第３，５４２，６１５号（Ｄｏｂｏら）に記述されるプロセスによって急激に減少し、これらのそれぞれは参照によりその全体が本明細書に組み込まれる。スパンボンド繊維は一般に連側的であり、しばしば約０．３より大きな平均デニールを有し、一実施形態では約０．６、５、および１０〜約１５、２０、および４０の間の平均デニールを有する。スパンボンド繊維は、収集表面上に堆積したとき、一般に粘着性はない。
【００４２】
材料または物品の一部を描写するため本明細書で使用される場合、「弾性」という用語は、材料または物品が、材料または物品が弾性特性を示すように、弾性材料（例えば、一つまたは複数の弾性バンドまたはストランド）に接合された非弾性シート材料で作製されることを意味する。
【００４３】
「熱可塑性（ｔｈｅｒｍｏｐｌａｓｔｉｃ）」という用語は、本明細書において、熱に曝された時に軟化して成形することができ、室温に冷却された時、実質的に非軟化状態に戻る材料をさす。
【００４４】
「ユーザ（ｕｓｅｒ）」または「介護者（ｃａｒｅｇｉｖｅｒ）」という用語は、本明細書において、これらの吸収性物品のうちの一つの着用者の周りの、おむつ、おむつパンツ、トレーニングパンツ、幼児用おむつ、失禁用製品、またはその他の吸収性物品などであるがこれらに限定されない吸収性物品に適合する人を指す。ユーザと着用者は、一人の同一人物とすることができる。
【００４５】
図１は、本開示による、着用構成に配置された例示的な着用可能な物品１０の斜視図である。物品１０は、前部ウェストバンド２２を含む前部ウェストバンド領域１２、前部シャシー領域１４、後部シャシー領域１８（図２に見られるような）、および後部ウェストバンド２８を含む後部ウェストバンド領域２０、ならびに股ぐり領域８を含む。図示されるように、前部および後部シャシー領域１４、１８は、前部および後部ウェストバンド領域１２、２０とは視覚的に異なるパターンを含む。例えば、前部および後部ウェストバンド領域１２、２０は、比較的鮮明な、明確なパターンを含んでもよいが、前部および後部シャシー領域１４、１８は、比較的区別がつかない、大ざっぱなパターンを含んでもよい。こうした視覚的な差異は、物品１０上の別個のシャシー１４、１８、およびウェストバンド２２、２８の構成要素の存在を潜在的な着用者に強調表示し得る。両方のこうした構成要素の存在は、物品１０が、個別のウェストバンド構成要素を持たない、またはシャシーとウェストバンドの間に視覚的識別がほとんどない物品（従って、ウェストバンド構成要素がこうした物品の一部であるかどうかを識別することが困難な物品）よりも安全におよび／または快適にフィットするという確信を着用者に与え得る。
【００４６】
シャシー領域１４、１８、およびウェストバンド領域１２、２０は、着用者にとって安全かつ快適なフィットを提供するために弾力性がある。領域１２、１４、１８、および２０の弾性特性は、シャシー領域１４、１８、およびウェストバンド領域１２、２０全体に配置された弾性ストランド２３、２４によって形成される。物品１０のこれらの弾性ストランド２３、２４は、接着剤を使用することなく物品１０内に固定される。代わりに、弾性ストランド２３、２４は、前部および後部シャシー領域１４、１８、および前部および後部ウェストバンド領域１２、２０全体に形成された接合物の間に閉じ込められる。例えば、弾性ストランド２３、２４は、前部および後部シャシー領域１４、１８、および前部および後部ウェストバンド領域１２、２０の一つまたは複数のウェブ材料の間に延伸された方法で配置され得る。次いで、接合物対は、弾性ストランド２３、２４に近いが、ストランド２３、２４の両側に形成される。弾性ストランド２３、２４が弛緩されると、その直径が非張力の直径に増加する。しかしながら、接合物対の間に配置された弾性ストランド２３、２４の部分は、直径が増加することが防止され、それによって接合物対の間に捕捉される。弾性ストランド２３、２４のこれらの閉じ込められた部分は、前部および後部ウェストバンド領域１２、２０、および前部および後部シャシー領域１４、１８内の弾性ストランド２３、２４を貼り付ける。弾性ストランド２３、２４の閉じ込めは、以下により詳細に説明される。
【００４７】
本開示の態様によれば、シャシー領域１４、１８、および／または前部および後部ウェストバンド領域１２、２０の一つまたは複数のパラメータを変化させることによって、異なる区別性の視覚的パターンが形成され得ることが分かっている。例えば、隣接する弾性ストランド２３、２４の間の特定の間隔は、ストランド２３、２４の異なる設置された伸長が、領域１２、１４、１８、および２０の材料、ストランド２３、２４のデシテックス、および領域１２、１４、１８、および２０の材料を接合する接合物のパラメータとともに、任意の視覚パターンの区別性に影響を及ぼすように、任意の視覚パターンの区別性に影響を及ぼすことが分かっている。従って、両方のこうした製品の特徴の存在を潜在的な着用者に強調表示するために、前部および後部シャシー領域１４、１８と前部および後部ウェストバンド領域１２、２０との間の異なる視覚的パターンを生成するために、これらのパラメータの変形を組み合わせる本開示の例示的な物品１０が、以下に記述される。
【００４８】
図１は、考えられる一つの例示的な吸収性物品１０のみを描写することを理解するべきである。本開示の意図されたその他の物品は、比較的鮮明な、明確なパターンを含む前部および後部シャシー領域１４、１８を有してもよく、一方で前部および後部ウェストバンド領域１２、２０は区別がつかない、大ざっぱなパターンを含む。さらに意図された実施形態は、比較的鮮明な、明確なパターンを含む前部シャシー領域１４と区別がつかない、大ざっぱなパターンを含む前部ウェストバンド領域１２を有することができ、一方でパターンは後部シャシー領域１８、および後部ウェストバンド領域２０に対して逆になる。別の方法として、前部ウェストバンド領域１２が比較的鮮明な、明確なパターンを含む一方で、前部シャシー領域１４は、区別がつかない、大ざっぱなパターンを含んでもよく、またこれらのパターンは、後部シャシー領域１８、および後部ウェストバンド領域２０に対して逆になってもよい。
【００４９】
図２は、完全に開いた、または平坦な構成の図１の例示的吸収性物品１０の真上からの図である。物品１０は、長手方向４、および横方向６に延びることができ、前部領域７、股ぐり領域８、および後部領域９に分解することができる。各領域７、８、９は、物品１０の全長の３分の１を含み得る。前部領域７、および後部領域９は、前部シャシー領域１４、および前部ウェストバンド領域１２の少なくとも一部、および後部シャシー領域１８、および後部ウェストバンド領域２０の少なくとも一部をそれぞれ含んでもよい。異なる領域１２、１４、１８、および２０の詳細は、図３Ａ、および図３Ｂに関して以下に詳述する。
【００５０】
物品１０は、身体に面する表面４２、および衣類に面する表面４３をさらに含む。物品１０が吸収性物品を含む場合、身体に面する表面４２は、特に股ぐり領域７全体にわたり、身体側ライナー材料を一般的に含み得る。こうした身体側ライナー材料は、着用者の皮膚を物品１０によって保持された液体廃棄物から分離するために使用され得る。一般に、身体側ライナー材料は、合成繊維（例えば、ポリエステルまたはポリプロピレン繊維）、天然繊維（例えば、木または綿の繊維）、天然繊維と合成繊維の組み合わせ、多孔質フォーム、網状フォーム、穴あきプラスチックフィルムなどの材料の幅広い選択から製造できる。適切な材料の例には、レーヨン、木、綿、ポリエステル、ポリプロピレン、ポリエチレン、ナイロン、またはその他の熱接着可能繊維、ポリプロピレンおよびポリエチレンの共重合体、直鎖低密度ポリエチレンを含むがこれらに限定されないポリオレフィン、およびポリ乳酸などの脂肪酸エステル、細かい孔の空いたフィルムウェブ、ネット材料、および同種のもの、ならびにこれらの組み合わせが含まれるがこれらに限定されない。
【００５１】
さまざまな織布および不織布を身体側ライナー材料に使用できる。身体側ライナー材料は、織布、不織布、ポリマーフィルム、フィルム布積層物、またはこれに類するもの、またこれらの組み合わせを含むことができる。不織布の例には、スパンボンド織物、メルトブローン織物、コフォーム織物、カーデッドウェブ、接合カーデッドウェブ、複合スパンボンド織物、スパンレース、または同種のもの、ならびにこれらの組み合わせが含まれ得る。身体側ライナー材料は単一層構造である必要はなく、従って、織物、フィルム、および／またはウェブの複数の層、ならびにそれらの組み合わせを含み得る。例えば、身体側ライナー材料は、支持層および水分交絡可能な突起層を含み得る。突起層は、ＵＳＰＮ９，４７４，６６０（Ｋｉｒｂｙら）に開示されるものなどの中空突起部を含むことができる。
【００５２】
例えば、身体側材料は、ポリオレフィン繊維から構成されるメルトブローンウェブまたはスパンボンドウェブから構成され得る。別の方法として、身体側ライナー材料は、天然繊維および／または合成繊維から構成される接合カーデッドウェブであり得る。身体側ライナー材料は、実質的に疎水性材料から構成されることができ、疎水性材料は、随意に界面活性剤で処理、またはその他の方法で処理して、所望のレベルの濡れ性および親水性を付与し得る。界面活性剤は、スプレー、印刷、はけ塗りまたは同種のものなど、任意の従来的手段で適用することができる。界面活性剤を身体側ライナー材料全体に塗布することも、身体側ライナー材料の特定のセクションに選択的に適用することもできる。
【００５３】
さまざまな実施形態で、身体側ライナー材料は不織布の複合ウェブで構成され得る。不織布複合ウェブはスパンボンド複合ウェブまたはボンデッドカーデッド複合ウェブであり得る。複合ステープル繊維の例には、ポリエチレン／ポリプロピレン複合繊維が含まれる。この特定の複合繊維では、ポリプロピレンがコアを形成しポリエチレンが繊維のシースを形成する。本開示の範囲を逸脱することなく、マルチローブ、サイドバイサイド、またはエンドツーエンドなどのその他の配向を有する繊維を使用し得る。一実施形態では、身体側ライナー材料は、約１０ｇｓｍまたは１２ｇｓｍ〜約１５ｇｓｍまたは２０ｇｓｍの坪量を有するスパンボンド基材とすることができる。一実施形態では、身体側ライナー材料は、二つのスパンボンド層の間に塗布された１０％のメルトブローン含有量を有する１２ｇｓｍスパンボンド−メルトブローン−スパンボンド基材とすることができる。
【００５４】
衣類に面する表面４３は一般に、外側カバー材料によって形成され得る。外側カバー材料は、部分的または全体に、通気性および／または液体不透過性であってもよく、また少なくとも一部の部分は、異なる実施形態では弾性的、延伸性、または非延伸性であり得る。外側カバー材料は、一部の実施形態では、単一層で、他の実施形態では、複数の層で構成されてもよく、例えば、外側カバー材料が一つまたは複数の材料の積層体を含む。外側カバー材料は、弾性またはポリマー材料によって提供されるスパンボンド織物、フィルム、メルトブローン織物、弾性ネッティング、マイクロ多孔性ウェブ、接合カーデッドウェブ、および／またはフォームを含み得る。
【００５５】
一部の意図された実施形態では、外側カバー材料は、ポリマーフィルムなどの液体不透過性材料の単一層であり得る。さらなる実施形態では、外側カバー材料は、層の少なくとも一つが液体不透過性である多層積層物とすることができる。いくつかの実施形態では、外側カバー材料が、積層接着剤によって一緒に接合され得る外層（図示せず）および内層（図示せず）を含む二層構造であり得る。適切な積層接着剤は、ビーズ、スプレー、平行渦または同種のものとして連続的または断続的に塗布できるが、超音波接合、熱接合、圧力接合などを含むがこれに限定されない他の結合方法によって、内層を外層に接合できることが理解されるべきである。
【００５６】
外側カバー材料が複数の層を含む実施形態では、外側カバー材料の外層は、任意の適切な材料とすることができ、また着用者に対して一般的に布状の質感または外観を提供するものとし得る。このような材料の例は、３０ｇｓｍ  Ｓａｗａｂｏｎｄ  ４１８５（登録商標）または同等物など、Ｓａｎｄｌｅｒ  Ａ．Ｇ．（ドイツ）から入手可能であるひし形接合物パターンを有する１００％ポリプロピレン接合カーデッドウェブであり得る。外側カバー１８の外層としての使用に適した材料の別の例は、２０ｇｓｍスパンボンドポリプロピレン不織布ウェブであり得る。外層はまた、本明細書で説明したように、身体側ライナー材料を構成することができる同一材料で構成されてもよく、また内層が蒸気浸透性である場合には、尿の蒸発を高めるために開口し得る。いくつかの実施形態では、外側カバー材料、または外側カバー材料が多層構造である外側カバー材料の少なくとも外層は、エンボス加工および／またはマット仕上がりで、より布様の質感または外観を提供することができる。
【００５７】
外側カバー材料の内層（または外側カバー材料が単層構造である液体不透過性の外側カバー材料）の少なくとも一つは、液体不透過性であり、蒸気透過性（すなわち「通気性」）または蒸気不透過性のいずれかであり得る。液体不透過性の内層（または外側カバー材料が単一層構造の液体不透過性の外側カバー材料）は、薄いプラスチックフィルムから製造され得る。液体不透過性の内層（または外側カバー材料が単層構造である液体不透過性の外側カバー材料）は、液体身体滲出物が、吸収性物品１０、および湿潤物品（ベッドシート、および衣類など）ならびに着用者および介護者から漏出するのを阻害することができる。一部の特定の例として、外側カバー材料は、ポリエチレンまたはポリプロピレンなどの微孔性ポリマーフィルム、または被覆されたまたは別の方法で処理されて望ましいレベルの液体不透過性を与えるように構成され得る不織布材料から構成される。
【００５８】
物品１０が使い捨て吸収性物品である実施形態では、物品１０はさらに、身体に面する表面４２と衣類に面する表面４３との間に配置された吸収体１６を含む。吸収体１６は、一般的に圧縮性、適合性、柔軟性、着用者の皮膚への無刺激性、および液体身体滲出物を吸収および保持する能力を有するように構築され得る。吸収体１６は、幅広いサイズおよび形状（例えば、長方形、台形、Ｔ字形状、Ｉ字形状、砂時計形状など）および幅広い材料から製造できる。吸収体１６のサイズおよび吸収容量は、意図される着用者（乳児から成人）のサイズ、および吸収性物品１０の意図された使用によって与えられる液体負荷と互換性があるべきである。吸収体１６は、吸収性物品１０の長さおよび幅と同じかまたはそれと等しい長さおよび幅を有し得る。
【００５９】
いくつかの実施形態では、吸収体１６は、親水性繊維、セルロース系繊維（例えば、木材パルプ繊維）、天然繊維、合成繊維、織布または不織布シート、スクリム・ネットまたは他の安定化構造材、超吸収性材料、結合材料、界面活性剤、選択された疎水性および親水性材料、顔料、ローション、香り制御剤、または類似品、ならびに、これらの組み合わせのウェブ材料から構成され得る。少なくとも一つの実施形態では、吸収体１６は、セルロース系の綿毛および超吸収性材料のマトリックスであり得る。さまざまな実施形態では、吸収体１６は、材料の単一層で構成されてもよく、または代替的に、材料の二つ以上の層で構成され得る。
【００６０】
さまざまなタイプの濡れ性のある親水性繊維を、吸収体１６に使用できる。適切な繊維の例には、天然繊維、セルロース繊維、レーヨン繊維などのセルロースまたはセルロース誘導体で構成されている合成繊維、ガラス繊維などの本質的に濡れ性材料で構成される無機繊維、特定のポリエステルまたはポリアミド繊維などの本質的に濡れ性の熱可塑性ポリマーから作られた、または適切な手段で親水化されたポリオレフィン繊維などの非濡れ性熱可塑性ポリマーで構成されている合成繊維を含む。繊維は、例えば、界面活性剤による処理、シリカによる処理、適切な親水性部分を有し、繊維から容易に除去されない材料による処理によって、または繊維の形成中または形成後に、非濡れ性の疎水性繊維を親水性ポリマーで被覆することにより、親水化されていてもよい。超吸収性材料は、天然、合成、および改質天然ポリマーおよび材料とすることができる。さらに、超吸収性材料は、シリカゲルなどの無機材料、または架橋ポリマーなどの有機化合物とすることができる。一実施形態では、吸収体１６は、超吸収性材料を含まないことができ、または代替の実施形態では、全て超吸収性材料からなることができる。
【００６１】
図１、および図２に図示した物品１０は、三片構造構成を含む。例えば、前部シャシー領域１４、および前部ウェストバンド領域１２は、前部ウェストパネルを形成し、一方で後部シャシー領域１８、および後部ウェストバンド領域２０は、後部ウェストパネルを形成する。物品１０はさらに、前部ウェストパネルと後部ウェストパネルとの間に延びる吸収性パネル４０を含む。吸収性パネル４０は、第１横側縁部５１、および第２横側縁部５２を有してもよく、前部ウェストパネル、および後部ウェストパネルに重なり得る。吸収性パネル４０は、前部ウェストパネルおよび後部ウェストパネルに接着されて、三片構造を画定することができる。しかしながら、前部ウェストパネルおよび後部ウェストパネルが、吸収性パネル４０を包み、または吸収性パネル４０の衣類側を単にカバーすることができる、身体側ライナーおよび／または外側カバーなどウェストパネルを形成する通常接続された構成要素によって、互いに統合されるので、吸収性物品は、ときどき、一片構造（図示せず）とも称される、三片構造衣類でないＣＤプロセスで製造できることが意図されている。しかし、本開示によって意図される異なる視覚パターンを有する記述された弾性領域を有する物品は、任意の適切な方法に従って形成され得る。ＣＤプロセスは、本開示のそのような物品１０を形成するための一つの意図された方法にすぎない。
【００６２】
図３Ａは、前部ウェストバンド領域１２、および前部シャシー領域１４にわたり、線３−３に沿って見た図１の物品１０の例示的な断面図を示す。図３Ａの実施形態では、前部シャシー領域１４は、長手方向４に延在することがわかり、外側前部シャシーウェブ材料３１、および内側前部シャシーウェブ材料３３を含み、その間に配置された弾性ストランド２３を有する。図３Ａの実施形態では、前部ウェストバンド領域１２は、同じ外側前部シャシーウェブ材料３１、および同じ内側前部シャシーウェブ材料３３を含むが、その間に配置された弾性ストランド２４を有する。図示しないが、後部シャシー領域１８、および後部ウェストバンド領域２０は、以下に説明するように、それぞれ前部シャシー領域１４、および前部ウェストバンド領域１２と同様の方法で構成され得る。
【００６３】
図３Ａの実施形態では、前部ウェスト縁部１３は、外側前部シャシーウェブ材料３１が、長手方向寸法において内側前部シャシーウェブ材料３３より長く、内側前部シャシーウェブ材料３３上に折り畳まれ、取り付け領域１９にわたり内側前部シャシーウェブ材料３３の内側表面３４に接合されている折り畳み１７によって形成される。取り付け領域１９は、接着剤によって、または例えば熱、圧力、および／または超音波エネルギーによって、外側前部シャシーウェブ材料３１の内側前部シャシーウェブ材料３３への直接接合によって、形成され得る。しかしながら、その他の実施形態では、内側前部シャシーウェブ材料３３は、外側前部シャシーウェブ材料３１よりも長くてもよく、また折り畳み１７は、内側前部シャシーウェブ材料３３を外側前部シャシーウェブ材料３１の上に折り畳み、内側前部シャシーウェブ材料３３を外側前部シャシーウェブ材料３１の外側表面３２に接合することによって形成され得ることが理解されるべきである。さらに他の実施形態では、前部ウェスト縁部１３は任意の折り畳みで形成されなくてもよい。むしろ、外側前部シャシーウェブ材料３１、および内側前部シャシーウェブ材料３３は、長さにおいてほぼ等しくてもよく、内側前部シャシーウェブ材料３３の外側表面３６は、例えば、接着剤によって、または熱、圧力、および／または超音波エネルギーによって、外側前部シャシーウェブ材料３１の内側表面３５に接合され得る。
【００６４】
一般に、外側前部シャシーウェブ材料３１、および内側前部シャシーウェブ材料３３は、シャシー、およびウェストバンド、または衣類、および吸収性物品のその他任意の身体接触部分での使用に適した任意の材料で構成され得る。一部の特定の実施形態では、ウェブ材料３１、３３は、身体側ライナー材料および／または外側カバー材料に関連して上述した任意の適切なウェブ材料を含み得る。ウェブ材料３１、３３は、同じ材料または異なる材料で構成され得る。さらに、図３Ａおよび図３Ｂにおいて単一層として示されているが、ウェブ材料３１、３３のそれぞれは、異なる意図された実施形態において、単一層、複数層、積層体などを含み得る。
【００６５】
ウェブ材料３１、３３の例示的な適切なクラスの材料は、合成繊維（例えば、ポリエステルまたはポリプロピレン繊維）、天然繊維（例えば、木または綿繊維）、天然繊維と合成繊維の組み合わせ、多孔質フォーム、網状フォーム、穴あきプラスチックフィルム、または同種のものなどを含む。適切な材料の例には、レーヨン、木、綿、ポリエステル、ポリプロピレン、ポリエチレン、ナイロン、またはその他の熱接着可能繊維、ポリプロピレンおよびポリエチレンの共重合体、直鎖低密度ポリエチレンを含むがこれらに限定されないポリオレフィン、およびポリ乳酸などの脂肪酸エステル、細かい孔の空いたフィルムウェブ、ネット材料、および同種のもの、ならびにこれらの組み合わせが含まれるがこれらに限定されない。
【００６６】
さらに、ウェブ材料３１、３３にさまざまな織布および不織布を使用できる。ウェブ材料３１、３３は、織布、不織布、ポリマーフィルム、フィルム布積層物またはこれに類するもの、ならびにそれらの組み合わせを含み得る。不織布の例には、スパンボンド織物、メルトブローン織物、コフォーム織物、カーデッドウェブ、接合カーデッドウェブ、複合スパンボンド織物、スパンレース、または同種のもの、ならびにこれらの組み合わせが含まれ得る。
【００６７】
例えば、ウェブ材料３１、３３は、ポリオレフィン繊維のメルトブローンウェブまたはスパンボンドウェブから構成され得る。別の方法として、ウェブ材料３１、３３は、天然繊維および／または合成繊維から構成される接合カーデッドウェブであり得る。ウェブ材料３１、３３は、実質的に疎水性材料から構成されることができ、疎水性材料は、随意に界面活性剤で処理それともまたはその他の方法で処理して、所望のレベルの濡れ性および親水性を付与し得る。界面活性剤は、スプレー、印刷、はけ塗りまたは同種のものなど、任意の従来的手段で適用することができる。界面活性剤は、ウェブ材料３１、３３の全体に適用、またはウェブ材料３１、３３の特定部分に選択的に適用することができる。ウェブ材料３１、３３に適した一部の特定の例示的材料は、５〜１５０ｇｓｍの範囲の１００％ポリプロピレン接合カーデッドウェブを含む。その他の例示的な適切な材料には、５〜１５０ｇｓｍの範囲のスパンボンドポリプロピレン不織布ウェブが含まれる。特に優先的な実施形態では、坪量は５〜３０ｇｓｍの範囲内であり得る。さらに他の例示的材料は、１５０ｇｓｍを超える坪量を有し得る。
【００６８】
一実施形態では、ウェブ材料３１、３３は、不織布の複合ウェブで構成され得る。不織布複合ウェブはスパンボンド複合ウェブまたはボンデッドカーデッド複合ウェブであり得る。複合ステープル繊維の例には、ポリエチレン／ポリプロピレン複合繊維が含まれる。この特定の複合繊維では、ポリプロピレンがコアを形成しポリエチレンが繊維のシースを形成する。本開示の範囲を逸脱することなく、マルチローブ、サイドバイサイド、またはエンドツーエンドなどのその他の配向を有する繊維を使用し得る。一実施形態では、ウェブ材料３１、３３は、約８〜約５０ｇｓｍの坪量でスパンボンド基材とすることができる。一実施形態では、ウェブ材料３１、３３は１２ｇｓｍスパンボンド−メルトブローン−スパンボンド基材とすることができる。別の実施形態では、ウェブ材料３１、３３は、８ｇｓｍスパンボンド−メルトブローン−スパンボンド基材であり得る。
【００６９】
弾性ストランド２３、２４の適切な弾性材料には、スパンデックス弾性ストランド、天然ゴムまたは合成ゴムのストランド、熱可塑性弾性材料、または熱活性化弾性材料が含まれ得るが、これらに限定されない。弾性ストランド２３、２４は、少なくとも約５０パーセント、望ましくは約３５０パーセント伸長することができ、および約３００パーセントの伸長後に元の長さの少なくとも約２５０パーセント以内に回復可能であり、望ましくは約１５０パーセント以内に回復できる任意の弾性材料であり得る。弾性ストランド２３、２４は、スパンデックス弾性ストランド、またはＬＹＣＲＡなどのポリウレタン系合成繊維であり得る。あるいは、弾性ストランド２３、２４は、熱可塑性エラストマ、または天然もしくは合成ゴム、またはさらに、弾性ストランド２３、２４がウェブ材料３１、３３の間に配置され、ウェブ材料３１、３３は互いに接合された後、熱処理で活性化できる熱活性化弾性材料で構成され得る。一般に、任意の適切な弾性材料は、ストランド２３、２４のために使用され得る。少なくとも一部の実施形態では、弾性ストランドは、約１０デニール〜約１５００デニールの範囲の直径を有し得る。
【００７０】
前部シャシー領域１４、および前部ウェストバンド領域１２は、物品１０の前部領域７内の弾性ストランド２３、２４の数、および位置によって画定され得る。本開示の実施形態では、前部ウェストバンド領域１２は、弾性ストランド２４として標識される前部ウェスト縁部１３に長手方向において最も近くに配置された四つの弾性ストランドを含む。前部シャシー領域１４は、弾性ストランド２３として標識される吸収性物品１０の前部領域７内に配置された弾性ストランドの残りの部分を含む。これらの定義は、後部シャシー領域１８、および後部ウェストバンド領域２０にも同様である。
【００７１】
前述のように、前部ウェストバンド領域１２と前部シャシー領域１４との間で視覚的に区別するために、一つまたは複数のパラメータが二つの領域１２、１４間で異なってもよい。図３Ａの実施例では、領域１２、１４の間で異なる一つのパラメータが、各領域１２、１４内のストランド２３、２４の長手方向の間隔であることがわかる。例えば、前部シャシー領域１４は、第１の長手方向の間隔３７を有する弾性ストランド２３を含み、一方で前部ウェストバンド領域１２は、第１の長手方向の間隔３７とは異なる第２の長手方向の間隔３８を有する弾性ストランド２４を含む。こうした実施形態では、前部ウェストバンド領域１２は、より鮮明な、より明確なパターンを含んでもよく、一方で前部シャシー領域１４はより区別がつかない、大ざっぱなパターンを含む。領域１２、１４内のストランド２３、２４のそれぞれの間の間隔は、同じである必要はないことが理解されるべきである。むしろ、第１の長手方向の間隔３７、および第２の長手方向の間隔３８は、領域１２、１４のそれぞれ内のストランド２３、２４の間の長手方向の間隔の全ての平均を表し得る。例えば、長手方向の間隔測定値は、前部ウェストバンド領域１２の中の各隣接するストランド２４の間に取られてもよい。次に、第２の長手方向の間隔パラメータ３８は、これらの集合された長手方向の測定値の平均とし得る。この第２の長手方向の間隔パラメータ３８は、前部シャシー領域１４と同じ方法で形成される第１の長手方向の間隔パラメータ３７と比較され得る。
【００７２】
より鮮明な、より明確なパターンは、弾性ストランド間の間隔が、８ｍｍ未満、または、より好ましくは７．５ｍｍ未満、より好ましくは７ｍｍ未満、より好ましくは６．５ｍｍ未満、より好ましくは６ｍｍ未満、より好ましくは５．５ｍｍ未満、より好ましくは５ｍｍ未満、より好ましくは４．５ｍｍ未満、およびさらにより好ましくは４ｍｍ未満であるとき製造されることが分かっている。従って、前部ウェストバンド領域１２がより鮮明で、より明確なパターンを含む実施形態では、第２の長手方向の間隔３８は上述の間隔のいずれかであり得る。さらに、領域１２、１４の間のより大きな視覚的区別を生成するために、第１の長手方向の間隔３７は、第２の長手方向の間隔３８よりも、少なくとも１ｍｍだけ、または、より好ましくは少なくとも１．５ｍｍだけ、または、より好ましくは少なくとも２ｍｍだけ、または、より好ましくは少なくとも２．５ｍｍだけ、または、より好ましくは少なくとも３ｍｍだけ、または、より好ましくは少なくとも３．５ｍｍだけ、または、より好ましくは少なくとも４ｍｍだけ、または、さらにより好ましくは少なくとも４．５ｍｍだけ、大きくなければならないことが見出される。
【００７３】
ストランド２３、２４の間の変動した長手方向の間隔を有する代替として、ストランド２３、２４の設置された伸長は、領域１２、１４の間の視覚的に異なるパターンを生成するために変化し得る。設置された伸長は、ストランドが物品１０、または物品１０の前駆体構成要素に適用された時にストランドが歪んでいる歪量の測定値である。例えば、１５０ｍｍまで延伸された弾性ストランドの１００ｍｍの長さは、５０％（（（１５０／１００）−１）×１００％）の設置された伸長を有する。ストランド２３、２４などの弾性ストランドのより大きい設置された伸長は、区別がつかない、大ざっぱな視覚パターンを生成することが分かっている。従って、前部ウェストバンド領域１２がより鮮明でより明確なパターンを含む場合、弾性ストランド２４は、より区別がつかない、大ざっぱなパターンを含む前部シャシー領域１４の弾性ストランド２３よりも小さい設置された伸長を有し得る。
【００７４】
より区別がつかない、大ざっぱなパターンは、少なくとも１５０％以上、またはより好ましくは少なくとも１７５％以上、またはより好ましくは少なくとも２００％以上、またはより好ましくは少なくとも２２５％以上またはより好ましくは少なくとも２５０％以上、またはさらにより好ましくは少なくとも３００％以上、の設置された伸長を有するストランドを用いて達成することができることが分かっている。従って、前部シャシー領域１４が、より鮮明で、より明確なパターンを含む場合、弾性ストランド２３は、上述の設置された伸長のいずれかを有し得る。さらに、前部ウェストバンド領域１２と前部シャシー領域１４との間のより視覚的な識別を生成するために、前部シャシー領域１４の弾性ストランド２３は、弾性ストランド２４の設置された伸長よりも、少なくとも２５％だけ、よりも好ましくは少なくとも５０％だけ、よりも好ましくは少なくとも７５％だけ、よりも好ましくは少なくとも１００％だけ、よりも好ましくは少なくとも１２５％だけ、よりも好ましくは少なくとも１５０％だけ、よりも好ましくは少なくとも２００％だけ、大きい設置された伸長を有し得る。また、弾性ストランド２３、２４のそれぞれは、領域１２、１４内の他のストランド２３、２４のそれぞれと同じ設置された伸長を有する必要はないことも理解されるべきである。むしろ、領域１２、１４の間のストランド２３、２４の設置された伸長値を比較するとき、平均的な設置された伸長指標が使用され得る。例えば、前部ウェストバンド領域１２内のストランド２４のそれぞれの設置された伸長が、平均化されてもよく、また前部シャシー領域１４内のストランド２３のそれぞれの設置された伸長が、平均化され得る。次に、これらの平均化された設置された伸長は、領域１２、１４のどちらが、より大きいまたは小さい平均的な設置された伸長を有するかを決定するために比較され得る。
【００７５】
もちろん、前部ウェストバンド領域１２がより鮮明で、より明確なパターンを含む少なくとも一部の意図された実施形態では、前部ウェストバンド領域１２のストランド２４は、ストランド２３の長手方向の間隔３７よりも小さい長手方向の間隔３８、およびストランド２３の設置された伸長よりも小さい設置された伸長の両方を有し得る。しかしながら、さらなる実施形態では、ストランド２４は、ストランド２３の間隔３７よりも小さいストランド間隔３８であるが、大きい設置された伸長、またはストランド間隔３７よりも大きいストランド間隔３８であるが、より小さい設置された伸長を有し得る。このような実施形態では、ストランド間隔３７、３８およびストランド２３、２４の設置された伸長の間の差の量は、より鮮明な、より明確なパターンを有する前部ウェストバンド領域１２、およびより区別がつかない、大ざっぱなパターンを有する前部シャシー領域１４の望ましい視覚的効果を生成するように選択され得る。
【００７６】
ストランド２３、２４の間の変動した長手方向の間隔または設置された伸長を有する代替として、ストランド２３、２４のデシテックスは、領域１２、１４の間の視覚的に異なるパターンを生成するために変化し得る。他のパラメータが一定に保持される場合、より大きいデシテックスが、より鮮明で、より明確なパターンを許容することが分かっている。従って、前部ウェストバンド領域１２が、より鮮明で、より明確なパターンを含んでいる場合、弾性ストランド２４は、所与のストランド間隔と設置された伸長でより鮮明で、より明確なパターンを生成するため、比較的大きいデシテックスを有してもよく、一方、ストランド２３は、所与のストランド間隔と設置された伸長で、より区別がつかない、大ざっぱなパターンを生成する比較的小さいデシテックスを有する。
【００７７】
より鮮明で、より明確なパターンが、約４７０より大きい、より好ましくは約５４５より大きい、より好ましくは約６２０より大きい、より好ましくは約６９５より大きい、より好ましくは約７７０より大きい、より好ましくは約８４５より大きい、より好ましくは約９２０より大きい、さらにより好ましくは約９９５より大きい、デシテックスを有するストランドで達成できることが分かっている。従って、前部ウェストバンド領域１２がより鮮明で、より明確なパターンを含む場合、弾性ストランド２４は、上述のデシテックスのいずれかを有し得る。さらに、前部ウェストバンド領域１２と前部シャシー領域１４との間のより視覚的な区別を生成するために、前部シャシー領域１４の弾性ストランド２３は、ストランド２４のデシテックスよりも、少なくとも５０だけ、または、より好ましくは少なくとも１００だけ、または、より好ましくは少なくとも１５０だけ、または、より好ましくは少なくとも２００だけ、または、より好ましくは少なくとも２５０だけ、または、より好ましくは少なくとも３００だけ、または、より好ましくは少なくとも３５０だけ、または、より好ましくは少なくとも４００だけ、または、さらにより好ましくは少なくとも４５０だけ、大きいデシテックス有し得る。また、弾性ストランド２３、２４のそれぞれは、領域１２、１４内の他のストランド２３、２４のそれぞれと同じデシテックスを有する必要はないことも理解されるべきである。むしろ、領域１２、１４の間のストランド２３、２４のデシテックス値を比較するとき、平均デシテックス値が各領域に使用され得る。領域１２、１４のこれらの平均デシテックス値は、前部ウェストバンド領域１２内の全てのストランド２４のデシテックス値の平均と、前部シャシー領域１４内の全てのストランド２３のデシテックス値の平均とを含み得る。
【００７８】
もちろん、前部ウェストバンド領域１２がより鮮明で、より明確なパターンを含む少なくとも一部の考えられる実施形態では、前部ウェストバンド領域１２のストランド２４は、領域１４におけるストランド２３の長手方向の間隔３７よりも小さい長手方向の間隔３８、ストランド２３の設置された伸長よりも小さい設置された伸長の全てを有してもよく、ストランド２４は、ストランド２３よりも大きいデシテックスを有し得る。しかしながら、さらなる実施形態において、ストランド２４は、ストランド２３よりも大きい設置された伸長であるが、より大きいデシテックス、またはより小さいデシテックスであるが、より小さい設置された伸長を有し得る。さらなる実施形態において、ストランド２４は、ストランド２３のストランド間隔３７よりも小さいストランド間隔３８であるが、より小さいデシテックス、またはストランド２３よりもより大きいストランド間隔３８であるが、より大きいストランドデシテックスを有し得る。さらに他の意図された実施形態では、ストランド２４は、ストランド２３の間隔３７よりも大きい間隔３８、ストランド２３よりも大きい設置された伸長であるが、またより大きいデシテックスを有し得る。別の方法として、ストランド２４は、ストランド２３の間隔３７よりも大きい間隔３８、ストランド２３よりも小さいデシテックスであるが、ストランド２３よりも小さい設置された伸長を有し得る。さらにより代替的な実施形態では、ストランド２４は、ストランド２３の間隔３７よりも小さい間隔３８であるが、ストランド２３よりもより大きい設置された伸長、およびより小さいデシテックスを有し得る。これらの実施形態のいずれかにおいて、ストランド２３、２４のストランド間隔３７、３８、設置された伸長、およびデシテックスの間の差の量は、より鮮明で、より明確なパターンを有する前部ウェストバンド領域１２、およびより区別がつかない、大ざっぱなパターンを有する前部シャシー領域１４の望ましい視覚的効果を生成するように選択され得る。
【００７９】
本開示の一部の意図された実施形態では、前部シャシー領域１４が、より鮮明な、より明確なパターンを含み、および前部ウェストバンド領域１２が、より区別がつかない、大ざっぱなパターンを含むことがより好ましくてもよい。そのような実施形態では、前部ウェストバンド領域１２が、より鮮明で、より明確なパターンを含み、前部シャシー領域１４が、より区別がつかない、大ざっぱなパターンを含む実施形態に関連して前述したストランド間隔３７、３８、設置された伸長、および／またはデシテックスの構成全てが逆転され得る。例えば、前部シャシー領域１４は、比較的より鮮明な、より明確なパターンを生成するストランド間隔３７、３８、設置された伸長、および／またはストランドデシテックスの上記の構成のいずれかを含み得る。一方、前部ウェストバンド領域１２は、より区別がつかない、大ざっぱなパターンを生成するストランド間隔３７、３８、設置された伸長、および／またはストランドデシテックスの上記の構成のいずれかを含み得る。さらに別の実施形態では、図１に関して説明したように、前部シャシー領域１４が、より鮮明で、より明確なパターンを含み、後部シャシー領域１８が、より区別がつかない、大ざっぱなパターンを含むように、前部シャシー領域１４のストランド間隔３７、３８、設置された伸長、および／またはストランドデシテックスの構成は、後部シャシー領域１８と異なってもよい。逆は、他の実施形態において当てはまることができる。さらに、前部ウェストバンド領域１２が、より鮮明で、より明確なパターンを含み、後部ウェストバンド領域２０が、より区別がつかない、大ざっぱなパターンを含むように、前部ウェストバンド領域１２のストランド間隔３７、３８、設置された伸長、および／またはストランドデシテックスの構成は、後部ウェストバンド領域２０とは異なり得る。逆は、他の実施形態において当てはまることができる。前部ウェストバンド領域１２、前部シャシー領域１４、後部シャシー領域１８、および後部ウェストバンド領域２０のどれが、より鮮明で、より明確なパターンを含み、どれが、より区別がつかない、大ざっぱなパターンを含むかの全ての組み合わせが、本開示によって意図される。
【００８０】
図３Ｂは、前部ウェストバンド領域１２、および前部シャシー領域１４にわたり、線３−３に沿って見た図１の物品１０の代替的な例示的断面図を示す。図３Ａの実施形態とは対照的に、図３Ｂの実施形態は、前部シャシー領域１４とは別個に形成される前部ウェストバンド構成要素２１を含む前部ウェストバンド領域１２を示す。ウェストバンド構成要素２１は、前部ウェストバンド構成要素２１を内側ウェブ材料３３の内側表面３４に取り付ける取り付け領域１９にわたり、前部シャシー領域１４に結合される。取り付け領域１９は、接着剤を含んでもよく、または前部ウェストバンド構成要素２１は、取り付け領域１９を形成するために、熱、圧力、または超音波エネルギーを使用して内側ウェブ材料３３に直接取り付けられてもよい。
【００８１】
別個の構成要素として、前部ウェストバンド構成要素２１は、図３Ｂに示すように、弾性ストランド２４をサンドイッチするために折り畳まれた単一の前部ウェストバンドウェブ材料２５から成り得る。別の方法として、前部ウェストバンド構成要素２１は、内側前部ウェストバンドウェブ材料および第２の前部ウェストバンド材料から成り得る。これらの実施形態のいずれにおいても、前部ウェストバンド構成要素２１は、前述のとおり、弾性ストランド２４がその間に配置され、弾性ストランド２４を接合物で閉じ込めた状態で、例えば、単一の前部ウェストバンドウェブ材料２５をそれ自体に接合することにより（または内側前部ウェストバンドウェブ材料と第２の前部ウェストバンド材料を接着する）、接着剤を使用することなく形成され得る。従って、前部ウェストバンド領域１２、および前部シャシー領域１４（および後部シャシー領域１８、および後部ウェストバンド領域２０）は、図３Ａに関連して前述した実施形態のいずれかと同じ方法で視覚的に異なるパターンを有するように構成され得る。
【００８２】
図４は、後部シャシー領域１８、および後部ウェストバンド２０の図２の領域４４の拡大図を示し、図１、および図２に示される視覚的パターンを生成するために使用できる一つの特定の接合物パターンを詳述する。図１〜図３Ｂに関連して上述したように、後部シャシー領域１８、および後部ウェストバンド領域２０の構造は、前部シャシー領域１４、および前部ウェストバンド領域１２に類似または鏡像関係にあり得る。従って、図４は、ストランド２３、２４の非閉じ込められた部分８１、および閉じ込められた部分８２を含む、領域１８、２０にわたって延在し、その領域に弾性特性を提供する弾性ストランド２３、２４を示す。
【００８３】
シャシー、およびウェストバンド領域１２、１４、１８、および２０を形成するために、弾性ストランド２３、２４が、ストランド２３、２４が内側、および外側ウェブ材料３１、３３、および／または７１、７３の間に位置付けられる前に、またはそのときに延伸され得る。弾性ストランド２３、２４は、非張力の外径を有してもよく、また弾性ストランド２３、２４の外径は、ストランド２３、２４が延伸されると減少し得る。従って、ストランド２３、２４が、内側および外側ウェブ材料３１、３３および／または７１、７３との間に配置される前または配置される時点では、弾性ストランド２３、２４は、非張力の外径より小さい外径を有し得る。
【００８４】
この延伸状態において、接合物５０の少なくとも一部は、延伸弾性ストランド２３、２４の両側に配置され、弾性ストランド２３、２４にわたって、長手方向距離５７だけ長手方向４に離間し得る。いくつかの実施形態では、長手方向距離５７は、接合物５０が、延伸弾性ストランド２３、２４の両側に形成される時点でのストランド２３、２４の外径とほぼ等しくてもよい。その他の実施形態では、長手方向距離５７は、接合物５０が延伸弾性ストランド２３、２４の両側に形成される時点でストランド２３、２４の外径よりも大きいが、弾性ストランド２３、２４の非張力の直径の外径より小さくてもよい。延伸弾性ストランド２３、２４の両側に形成される接合物５０の対は、本明細書では接合物対と呼ばれるものを形成し得る。こうした接合物対は、ストランド２３、２４のうちの一つがその間に延在する接合物５０の長手方向に隣接する接合物を含む。これらの接合物対は、ストランド２３、２４を「閉じ込める」接合物を形成し、それによってそれらをウェブ材料７１、７３（および前部領域７の３１、３３）に貼り付ける。
【００８５】
弾性ストランド２３、２４が弛緩することができるので、弾性ストランド２３、２４の外径は一般的に、非張力の外径に向かって戻り増加する。しかしながら、図４でわかるように、この膨張は、接合物対を形成する接合物５０の対によって、弾性ストランド２３、２４の閉じ込められた部分８２に抑制され、故に接合物対の接合物５０が、ストランド２３、２４の非張力の直径より小さい長手方向距離だけ、ストランド２３、２４にわたって位置付けられる。弾性ストランド２３、２４が延伸状態から弛緩し収縮すると、弾性ストランド２３、２４の非閉じ込められた部分８１は、長手方向４内で拡張（例えば、弾性ストランド２３、２４の外径が増加する）し、非閉じ込められた部分８１内の拡張した外径８３を有する弾性ストランド２３、２４を有する図４に示される構造を得る。
【００８６】
いくつかの実施形態において、拡張直径８３は、弾性ストランド２３、２４の非張力の直径と同じであり得るが、その他の実施形態ではそうではなくてもよい。例えば、弾性ストランド２３、２４を形成するために使用される弾性材料のタイプの特定の構成、成形プロセス中の弾性ストランド２３、２４の伸長量、および接合物対の接合物５０間の長手方向距離５７において、および横方向に隣接した接合物５０間の横方向距離において、細長く延びた弾性ストランド２３、２４に関係した接合物対の接合物５０の位置は、弾性ストランド２３、２４の直径が、非閉じ込められた部分８１において、それらの非張力の直径までもどって、伸長することを防止し得る。従って、いくつかの実施形態では、弾性ストランド２３、２４の少なくとも幾つかの非閉じ込められた部分８１の拡張直径８３は、非張力の直径よりも小さくてもよい。
【００８７】
接合物５０は、熱／加熱接合、超音波接合、圧力接合、またはその他の公知の接合技術など、任意の適切な接合技術を通して形成され得る。一般に、以下でより詳細に説明されるように、接合物５０は、パターン構成要素および滑らかな構成要素を使用することで形成され得る。接合物５０を形成するために、ウェブ材料３１、３３、および／または７１、７３は、その間に配置された弾性ストランド２３、２４とともに、パターン構成要素と弾性ストランド２３、２４の任意の特徴との間の適切な整列を有するパターン構成要素と滑らかな構成要素との間に位置付けられる。例えば、弾性ストランド２３、２４は、パターン構成要素の隆起した突出部の間に位置付けられ得る。
【００８８】
熱接合、圧力接合、または回転式超音波接合技術が接合物５０を形成するために使用される場合、パターン構成要素および滑らかな構成要素はそれぞれパターンロールおよび滑らかなロールであり得る。こうした実施形態では、パターンロールは、パターンロールの表面から突出するいくつかの隆起部分を含み得る。隆起部分は、本開示の弾性材料の異なる実施形態に示されるように、接合物５０の形状およびパターンロールの表面上に整列されて、接合物５０の長手方向および緯度整列を生成し得る。滑らかなロールは、一般に滑らかな外側表面を有する固体ロールであり得る。
【００８９】
接合物５０を形成するために使用され得る熱接合技術は、パターンロールの隆起部分を約７０℃〜約３４０℃に加熱することを含み得る。一般に、接合物５０が形成されたとき、加熱レベルは弾性ストランド２３、２４の溶融をもたらす加熱未満であるべきである。隆起部分は適切な温度でありつつ、パターンロールは、層３１、３３／およびまたは７１、７３、および弾性ストランド２３、２４がロールの間に位置付けられた状態で、滑らかなロール上に押し付けられ得る。いくつかの実施例として、このような実施形態において、接合物５０を形成するために使用されるニップ圧力（ヘルツ接触圧力）は、約５００Ｋｐａ〜約２，７５０Ｋｐａでありえ、層３１、３３／およびまたは７１、７３、および弾性ストランド２３、２４は、約１００リニアメートル／分（ｍｐｍ）〜約３５０（ｍｐｍ）の間のパターンおよびアンビルロールを通過し得る。もちろん、他の実施形態では、その他の適切な値を使用し得る。
【００９０】
接合物５０を形成するために使用され得る回転式超音波接合技術は、接合物５０を形成するために超音波エネルギーを使用し得る。例えば、層３１、３３／およびまたは７１、７３、および弾性ストランド２３、２４が、回転式超音波接合機のパターンロールと滑らかなロールの間を通過する場合、滑らかなロールは約２０，０００Ｈｚ〜約５０，０００Ｈｚの周波数で振動され、層３１、３３／およびまたは７１、７３の内部加熱を、層３１、３３／およびまたは７１、７３がともに溶融して接合物５０を形成する範囲であるようにする。
【００９１】
接合物５０を形成するために使用され得る圧力接合技術は、パターンロールの隆起部分に外部熱を適用する必要がないことを除いて、上述の熱接合技術と類似し得る。しかしながら、隆起部分を周囲温度でのみ補正するために、接合物５０を形成するためにパターンロールおよび滑らかなロールにかけられるニップ圧力（ヘルツ接触圧力）が大きく増大する必要がある。いくつかの実施例では、ニップ圧力（ヘルツ接触圧力）は、約５００ＭＰａ〜約１５００ＭＰａであってもよく、一方で層３１、３３／およびまたは７１、７３、および弾性ストランド２３、２４は、約１５０ｍｐｍ〜４５０ｍｐｍでパターンロールとアンビルロールの間を通過する。もちろん、他の実施形態では、その他の適切な値を使用し得る。
【００９２】
接合物５０を形成するために使用され得る非回転式超音波接合技術では、パターン要素およびアンビル要素は、滑らかな超音波ホーンおよびパターンアンビルであり得る。こうした実施形態では、アンビル構成要素は隆起部分を有する一方、超音波ホーンは概して滑らかな表面を有する。回転式超音波技術と同様に、超音波ホーンは、層３１、３３／およびまたは７１、７３、および弾性ストランド２３、２４が超音波ホーンとパターンアンビルの間を通過するとき、約２０，０００Ｈｚ〜約５０，０００Ｈｚの周波数で振動され得る。この超音波エネルギー印加により、層３１、３３／およびまたは７１、７３の内部加熱を、層３１、３３／およびまたは７１、７３が共に溶融し、接合物５０を形成する範囲に生じさせる。
【００９３】
一般に、こうした熱接合技術、超音波接合技術、および圧力接合技術は公知の技術である。異なる技術について説明したパラメータは、例示的な適切なパラメータにすぎないことが理解されるべきである。記述された技術は、当技術分野で公知の、その他の適切なパラメータで動作するこうした技術を使用して、接合物５０を形成するために使用され得る。例えば、参照によりその全体が本明細書に組み込まれる「ＭＥＴＨＯＤ  ＡＮＤ  ＡＰＰＡＲＡＴＵＳ  ＦＯＲ  ＢＯＮＤＩＮＧ」と題された国際出願ＷＯ２０１０／０６８１５０は、多くの異なるパラメータを使用して本開示に記載される接合物パターンの接合物５０を形成するために使用され得る圧力接合を実施するための方法および装置を詳述する。さらに、接合物５０が形成される異なる方法は、接合物の異なる強さをもたらす可能性があることは別として、結果として得られる弾性材料の構造には明確に影響を与えない。しかしながら、こうした公知の技術の全ては、破壊することなく接合物間に位置付けられた弾性ストランドの拡張に抵抗するのに十分強い接合物を生成することができる。従って、接合物５０は、本開示の範囲から逸脱することなく、任意の公知の接合技術に従って形成され得る。
【００９４】
図４は、外側後部シャシーウェブ材料７１と内側後部シャシーウェブ材料７３を一緒に接合し、またストランド２３、２４をウェブ材料７１、７３間に閉じ込める接合物５０の詳細をさらに図示する。例えば、接合物５０はそれぞれ、第１の辺部６１、第１の辺部６１の反対側の第２の辺部６２、上部分６３、および上部分６３の反対側の底部６４を含み得る。接合物５０が一般的に直線的に延びる辺部６１、および６２を有する実施形態では、これらの辺部６１、６２は、少なくとも部分的に長手方向４に延在し得る。
【００９５】
一般に、接合物５０は、任意の適切なサイズまたは形状を有し得る。しかしながら、少なくとも一部の実施形態では、接合物５０は、約５０平方マイクロメートル〜約２０平方ミリメートル、または約７０平方マイクロメートル〜約１０平方ミリメートル、または約２５０平方マイクロメートル〜約５平方ミリメートルの範囲であり得る。さらに、一部の実施形態では、弾性ストランド２３、２４に対して一般に平行な方向における接合物５０の寸法、例えば、上部および底部６３、６４の寸法は、接合部５０の辺部６１、６２の寸法の約二倍〜約六倍であり得る。例えば、図４の実施形態では、上部または底部６３、６４の長さは、辺部６１または６２の長さより約二倍〜約六倍大きくてもよい。
【００９６】
一般に長方形として示されるが、より具体的には平行四辺形として示されるが、接合物５０は任意の適切な形状であり得る。例えば、接合物５０は、円形、半円形、楕円形、半楕円形、三角形、正方形、長方形、台形、菱形、またはこれに類するものであり得る。いくつかの実施形態では、接合物５０は、三つの辺、四つの辺、五つの辺、六つの辺、またはその他任意の適切な数の辺を有し得る。
【００９７】
接合物５０は、ストランド２３、２４が延在する方向に延びる一連の概して平行な列５５に配置され得る。いくつかの実施形態では、長手方向に隣接した列５５は、長手方向４において、距離５６だけ離間し得る。一部の特定の実施形態では、列５５のそれぞれは、同じ距離５６だけ離間してもよく、距離５６は、ストランド２３、２４の非張力の直径より小さくてもよい。従って、ストランド２３、２４は、列５５のいずれかの間に閉じ込められることができ、ストランド２３、２４が間に延在する長手方向に隣接した列５５の接合物５０の長手方向に隣接する接合物は、接合物対を形成する。しかし、その他の実施形態では、列５５の一部は、距離５６だけ離間してもよく、一方で列５５の他方は、距離５６とは異なる距離５７だけ離間し得る。このような実施形態では、距離５６は、ストランド２３、２４の非張力の直径よりも大きくてもよく、一方で距離５７はストランド２３、２４の非張力の直径より小さくてもよい。そのような実施形態では、ストランド２３、２４は、ストランド２３、２４が領域１８、２０内に閉じ込められることを確実にするために、距離５７だけ離間する列５５の間にのみ配置され得る。
【００９８】
しかし、距離５６がストランド２３、２４の非張力の直径よりも大きい場合、距離５６が大きすぎないようにすることが重要である。距離５６が、一部の実施形態では約２ｍｍよりも大きい、または一部の実施形態では約１．５ｍｍより大きい、または一部の実施形態では約１ｍｍより大きい、または一部の実施形態では約０．７５ｍｍより大きい、または、一部の実施形態では約０．５ｍｍより大きい場合、任意のパターンの視覚的な鮮明さおよび明確さは、距離５６が上記の値のいずれかより小さい実施形態に対して低減され得る。従って、領域１２、１４、１８、および２０のうちの一つまたは複数が、比較的鮮明で、明確なパターンを有することが望ましい場合、こうした領域の隣接する列５５（例えば、ストランド２３、２４の一つがその間に延びない隣接する列５５）の間の間隔５６は、さまざまな異なる実施形態において、２ｍｍ未満、または１．５ｍｍ未満、または１ｍｍ未満、または０．７５ｍｍ未満、または０．５ｍｍ未満であり得る。逆に、領域１２、１４、１８、および２０のうちの一つまたは複数が、比較的区別がつかない、大ざっぱなパターンを有することが望ましい場合、こうした領域の隣接する列５５（例えば、ストランド２３、２４のうちの一つが延びない隣接する列５５）の間の間隔５６は、さまざまな異なる実施形態において、０．５ｍｍより大きいか、または０．７５ｍｍより大きいか、または１ｍｍより大きいか、または１．５ｍｍより大きいか、または２ｍｍより大きくてもよい。領域１２、１４、１８、２０の第２のもののパターンに対する領域１２、１４、１８、２０の第１のもののパターンにおける視覚的な差異を生成することが望ましい特定の実施形態では、領域１２、１４、１８、２０の第１のものにおける列５５の間の間隔５６は、領域１２、１４、１８、２０の第２のものにおける列５５の間の間隔５６より約０．５ｍｍだけ、または約０．７５ｍｍだけ、または約１ｍｍだけ、または約１．２５ｍｍだけ、または約１．５ｍｍだけ、または約１．７５ｍｍだけ、または約２ｍｍだけ、または約２．２５ｍｍだけ、またはその他任意の適切な値だけ、大きくてもよい。さらに、領域１２、１４、１８、２０の第１または第２の領域内の間隔５６のそれぞれが同じである必要はない。むしろ、領域１２、１４、１８、２０のうちの第１の領域および領域１２、１４、１８、２０のうちの第２の領域の間間隔５６を比較するとき、第１、および第２の領域のそれぞれにおける間隔５６の平均値をこのような比較で使用し得る。
【００９９】
例えば、間隔５６、５７、または、領域１２、１４、１８、２０のうちの同じ領域ないの列５５の間の異なる間隔５６などの、列５５の間の異なる長手方向の間隔を有することに加えて、所与の列５５内の横方向６における接合物５０の間の間隔は、列５５内、および異なる列５５の間の両方において異なってもよい。例えば、同じ列内の隣接する接合物間の横方向の間隔は、ストランド２３、２４のうちの一つに隣接している列５５と、ストランド２３、２４のうちの一つに隣接していない列５５との間で異なってもよい。別の方法として、または追加的に、その他の実施形態は、横方向に隣接した接合物間の横方向の間隔が列５５内で変化する接合物５０を有する列５５を有し得る。例えば、所与の列５５内の接合物５０間の横方向の間隔は、所望のパターン（またはその欠如）または柔らかさを与えるために、衣服の異なる横方向領域全体にわたって変化し得る。
【０１００】
上述のもののいずれかに対する追加的または代替的な実施形態において、接合物５０の第１の辺部６１は、弾性ストランド２３、２４が例えば図４の横方向６に延在する方向に対して角度がついていてもよい。接合物５０ｃの第１の辺部６１は、図４の横方向６に対して角度６６を形成することができる。接合物５０の第１の辺部６１の角度づけは、接合物５０をより効果的に形成するため、および／または望ましい延伸特性を有するシャシーおよび／またはウェストバンド領域１２、１４、１８、２０を提供するために有益であり得る。こうした実施形態では、角度６６は、約０度〜約１８０度の範囲であり得る。一部のより具体的な実施形態では、角度６６は、約１５度〜約９０度、または約３０度〜約８９度、または約５０度〜約８８度の範囲であり得る。その他の実施形態では、角度６６は、約１０５度〜約１８０度、または約１２０度〜約１７９度、または約１４０度〜約１７８度の範囲であり得る。
【０１０１】
少なくとも一部の接合物５０の第１の辺部６１が、弾性ストランド２３、２４が延在する方向に対して角度６６を形成するいくつかの実施形態では、接合物５０の全てまたは実質的に全てが、弾性ストランド２３、２４が延在する方向に対して角度６６を形成し得る。しかしながら、図４に示すように、他の実施形態では第１の数の接合物５０は、弾性ストランド２３、２４が延在する方向に対して角度６６を形成する第１の辺部６１を有することができる。一方、第２の数の接合物５０は、弾性ストランド２３、２４が延在する方向に対して、（例えば、接合物５０ｄで示されるように）角度６５を形成する第１の辺部６１を有することができる。こうした実施形態では、角度６６は角度６５とは異なってもよい。角度６５は、角度６６に関して前述した可能性のある値のいずれかを有してもよく、一部の特定の実施形態では、角度６５は、１８０マイナス角度６６の値（度）に等しくてもよい。例えば、角度６６が６０度の場合、角度６５は１２０度である。
【０１０２】
特定の実施形態では、領域１２、１４、１８、および／または２０は、ストランド２３、２４が延在する（図４に示すように）方向に関して、交互角度６５、および６６を形成する第１の辺部６１を有する接合物５０を有する一連の列５５を含んでもよい。このように、図１〜図４に図示したジグザグパターンが形成され得る。しかしながら、本開示によって他のパターンが形成され得ることが理解されるべきである。例えば、形成される特定のパターンは、領域１２、１４、１８、および２０のサイズ、形状および位置など、接合物のパラメータによって一般的に指定される。しかしながら、領域１２、１４、１８、および２０の相対的視覚的な鮮明さおよび明確さ、もしくは大ざっぱさおよび区別のなさは、ストランド間隔、設置された伸長、デシテックスなどの前述のパラメータに従って決定される。従って、図示されたジグザグパターンは、本開示による視覚的な差異が形成され得る多くの一つにすぎない。
【０１０３】
詳細な説明に引用されている全ての文書は、該当部分において、参照により本明細書に組み込まれる。いかなる文書の引用も、本発明に関して先行技術であることを承認するものとして解釈されるべきではない。本文書に記載された用語の任意の意味または定義が、参照により本明細書に組み込まれる文書のいずれかの意味または定義と矛盾する範囲において、本文書の用語に割り当てられた意味または定義を適用するものとする。
【０１０４】
当業者であれば、本開示は、本明細書に記載および意図された特定の実施形態以外のさまざまな形態で現れることを認識するであろう。具体的には、さまざまな実施形態および図面に関連して説明したさまざまな特徴は、それらの実施形態および／または図のみに適用されると解釈されるべきではない。むしろ、それぞれの記述された特徴は、それらの特徴と併せて説明される他の特徴のいずれかを有それともまたは有さないさまざまな意図された実施形態のその他任意の特徴と組み合わされ得る。従って、添付の請求項に記載される本開示の範囲から逸脱することなく、形態および詳細における逸脱がなされえる。
【０１０５】
特許請求の範囲に記載の数値限定に「約」が記載されているか否かにかかわらず、本発明の技術思想に鑑みて、実質的に同一の範囲を含むものである。
【図１】
2021503351.tif 000003
【図２】
2021503351.tif 000004
【図３Ａ】
2021503351.tif 000005
【図３Ｂ】
2021503351.tif 000006
【図４】
2021503351.tif 000007
【国際調査報告】
2021503351.tif 000008
2021503351.tif 000009